(57)【要約】      （修正有）【課題】部品点数を削減でき、様々な径の電線を保持可能で、電線を保持するための電線ホルダ部を必要に応じて容易に除去することが可能な入線カバーを提供する。【解決手段】入線カバー１は、カバー部材１２、ブッシング２１、及びブッシング押え部材３１を具備する。カバー部材は、背面が開口された電線覆い部１４、通線窓１５ａを有して電線覆い部の下端部を仕切った底壁部１５、及びこの底壁部から下方に突出された延出部１６を備える。ブッシングを、通線窓を閉じるように配置する。ブッシング押え部材は、合成樹脂製の一体成型品からなり、押え部３２、及び電線ホルダ部３３を備える。押え部を底壁部に取付けて、ブッシングの周部を通線窓の周部との間に固定する。電線ホルダ部は、延出部に対向して配置されるように押え部から下方に一体に突設された棒状部位３３ａを有し、カバー部材を通った電線Ａを電線ホルダ部に保持するようにした。【選択図】図３
2009017615.tif 000002
【特許請求の範囲】
【請求項１】
背面が開口された電線覆い部、通線窓を有して前記電線覆い部の下端部を仕切った底壁部、及びこの底壁部から下方に突出された延出部を備えたカバー部材と；
前記通線窓を閉じるように配置されたブッシングと；
下方に突出された棒状部位を一体に有して前記延出部に対向して配置される電線ホルダ部を備えて、前記ブッシングの周部を前記通線窓の周部との間に固定して前記底壁部に取付けられたブッシング押え部材と；
を具備したことを特徴とする入線カバー。
【請求項２】
前記電線ホルダ部が、前記棒状部位と、この棒状部位の下端部から折れ曲がった先端部位を有して形成されていることを特徴とする請求項１に記載の入線カバー。
【発明の詳細な説明】
【技術分野】
【０００１】
本発明は、建物の外壁面に設置されて、屋内と屋外とにわたる電力線や信号線等の電線が通される入線カバーに関する。
【背景技術】
【０００２】
従来、建物の造営面に開口された電線挿通用の開口を覆うように設置されて、前記開口を通る電線を覆う入線カバーが提供されている（例えば、特許文献１参照。）。
【０００３】
この入線カバーは、カバーを有したケースと、ブッシングと、押え板を備えていて、カバーにはこれとは別部品のコード保持具が取付けられている。カバーは、矩形枠状のベースと、このベースの上部に造営面から離れる向きに膨出された膨出部と、この膨出部の内外を膨出部の下部において仕切る仕切板とを一体に有していて、仕切板には開口窓が形成されている。ブッシングは開口窓を閉じるように配置されて、仕切板に取付けられた押え板と仕切り板との間に挟持されている。
【０００４】
コード保持具は、ベースの下部裏側に熱溶着等で固定されたナットと、これにベースの表側から螺合された固定ねじとを用いて、ベースの下部に形成された凹所の近傍に取付けられている。このコード固定具は、押え片を有しており、この押え片とベースの凹所底面との間に、ブッシングを通ってカバー外に引出された電線を保持し、それによって電線が引っ張られた場合にブッシングに作用する力を軽減するようになっている。
【特許文献１】特開2000-209748号公報（段落0012−0027、図１−図９）
【発明の開示】
【発明が解決しようとする課題】
【０００５】
特許文献１の入線カバーは、電線を保持するために、コード保持具と、これをカバーのベースに取付けるための固定ねじと、このねじを受けるナットとを必要としている。そのため、部品点数及び組立工数が多く、コスト高であるという問題がある。
【０００６】
又、ナットに対する固定ねじのねじ込み深さの調整により、異なる径の電線をコード保持具で保持可能であるが、この調整幅は小さい。このため、信号線等の細い電線に比較してかなり径が太い電力線を保持できない現状にあり、返って、この電力線をカバーのベース上に配線する上で、コード保持具が邪魔になることがあるという問題がある。
【０００７】
本発明の目的は、部品点数を削減できるとともに、様々な径の電線を保持可能であり、かつ、電線を保持するための電線ホルダ部を必要に応じて容易に除去することが可能な入線カバーを提供することにある。
【課題を解決するための手段】
【０００８】
請求項１の発明の入線カバーは、背面が開口された電線覆い部、通線窓を有して前記電線覆い部の下端部を仕切った底壁部、及びこの底壁部から下方に突出された延出部を備えたカバー部材と；前記通線窓を閉じるように配置されたブッシングと；下方に突出された棒状部位を一体に有して前記延出部に対向して配置される電線ホルダ部を備えて、前記ブッシングの周部を前記通線窓の周部との間に固定して前記底壁部に取付けられたブッシング押え部材と；を具備したことを特徴としている。
【０００９】
請求項１の発明で、ブッシング押え部材は棒状部位のみで形成することも可能である。これとともに、棒状部位は、弾性変形が困難に形成されていてもよいが、電線ホルダ部が請求項２の発明のように折れ曲がった先端部位を有する場合には弾性変形可能に形成することが好ましい。それにより、棒状部位の弾性変形を利用して先端部位とカバー部材の延出部との間に電線を挟持することが可能となる。請求項１の発明で、押え部材に対向するカバー部材の延出部に凹溝を設けることは、この凹溝で延出部に対する電線の位置を決めることができる点で好ましいが、この凹溝は省略してもよい。
【００１０】
請求項１の発明の入線カバーは、その背面開口からブッシングにわたる電線部分を電線覆い部で覆うので、ブッシングを下方に挿通して電線覆い部から突出された電線は、カバー部材の延出部に対向して下方に引出される。この電線を入線カバーに保持するには、引出された電線を電線ホルダ部に添わせて保持すればよい。
【００１１】
この場合、細い電線は、電線ホルダ部に巻き付けて、或いは電線ホルダ部とカバー部材の延出部との間に挟持して、若しくは電線ホルダ部の上側等に添わせた状態で市販のインシュロック帯等の結束部品を用いて電線ホルダ部に保持できる。太い電線については、電線ホルダ部の上側等に添わせた状態で市販のインシュロック帯等の結束部品を用いて電線ホルダ部に保持できる。こうした保持によって、引出された電線に外力が加わったときに、入線カバー内の電線に過負荷を与えることを抑制できる。
【００１２】
そして、電線ホルダ部はブッシング押え部材と一体の棒状部位を有しているので、この棒状部位の突出基部をニッパ等で容易に切り離し可能である。このため、ブッシングを挿通した電線に対して電線ホルダ部が邪魔になるような場合に、電線ホルダ部を邪魔にならないように除去して対応することが可能である。
【００１３】
又、請求項１の発明の入線カバーの電線ホルダ部は、ブッシング押え部材に一体に成形されている。このため、部品点数及び組立工数を従来に比較して削減できるので、それに伴い入線カバーの低コスト化を実現できる。
【００１４】
請求項２の発明の入線カバーは、前記電線ホルダ部が、前記棒状部位と、この棒状部位の下端部から折れ曲がった先端部位を有して形成されていることを特徴としている。
【００１５】
この請求項２の発明で、電線ホルダ部の先端部位は、電線ホルダ部の形状が略Ｌ字状となるように棒状部位の幅方向片側に直角又は斜めに折れ曲がっていてもよく、又は電線ホルダ部の形状が略Ｔ字形状となるように棒状部位の幅方向両側に直角に折れ曲がっていてもよく、或いは電線ホルダ部の形状が略Ｙ字形状となるように棒状部位の幅方向両側に斜めに折れ曲がっていてもよい。
【００１６】
請求項２の発明では、電線ホルダ部が棒状部位から折れ曲がった先端部位を有しているので、これとカバー部材の延出部との間に電線を挟持し易いとともに、この先端部位上に電線を載せることにより電線を電線ホルダ部上に添わせ易くできる。電線が細い場合には、この電線を棒状部位と先端部位とにわたって絡みつくように保持させて、電線の保持性能を向上させることが可能である。
【発明の効果】
【００１７】
請求項１の発明によれば、部品点数を削減できるとともに、様々な径の電線を保持することが可能であり、かつ、電線を保持するための電線ホルダ部を必要に応じて容易に除去することが可能な入線カバーを提供できる。
【００１８】
請求項２の発明によれば、電線ホルダ部に対する電線の保持性能を向上できる入線カバーを提供できる。
【発明を実施するための最良の形態】
【００１９】
図１〜図４を参照して本発明の一実施形態を説明する。
【００２０】
各図中符号１は入線カバーを示している。入線カバー１は、取付け枠２と、カバー体１１と、ブッシング２１と、ブッシング押え部材３１とを具備している。
【００２１】
図２（Ｂ）及び図３に示す取付け枠２は合成樹脂の成型品からなり、上下方向に延びる縦長な通線窓３を有した枠形状をなしている。取付け枠２の上端部と下端部の夫々にはナット４が埋め込まれているとともに、これらのナット４と通線窓３との間の夫々に固定孔５が設けられている。これらの固定孔５は取付け枠２の幅方向に延びる長孔で形成されている。
【００２２】
取付け枠２は、その通線窓３を、図示しない建物の屋内と屋外とにわたる電力線や信号線等の電線Ａ（図３参照）を通すために建物の外壁面（造営面）に設けた開口部に臨ませて、建物の外壁面に取付けねじ６（図３参照）を用いて固定される。取付けねじ６は、固定孔５を通って建物の外壁にねじ込まれる。
【００２３】
図１及び図３に示すようにカバー体１１はカバー部材１２と防水パッキン１３とを備えて形成されている。カバー部材１２は合成樹脂の一体成型品である。このカバー部材１２は、取付け枠２を覆うことができる大きさに形成されていて、電線覆い部１４、底壁部１５、及び延出部１６を備えている。
【００２４】
電線覆い部１４は、入線カバー１が建物の外壁面に取付けられた状態でこの外壁面から離れる向きに膨出されるとともに、傾斜した上部を有した形状をなしている。この電線覆い部１４の内側は空間となっているとともに、電線覆い部１４の背面は開口（図３に符号１４ａで示す。）されている。
【００２５】
底壁部１５は電線覆い部１４の下端部において電線覆い部１４の内部と外部を仕切って設けられている。底壁部１５には通線窓１５ａ（図３参照）が形成されている。電線覆い部１４の下端縁は底壁部１５より下方に突出していて水切り縁１４ｂをなしており、この水切り縁１４ｂの延出部１６に連続している。
【００２６】
入線カバー１が建物の外壁面に取付けられた状態で延出部１６は建物の外壁に沿うように底壁部１５から下方に突出されている。延出部１６は水切り縁１４ｂよりも長く下方へ突出している。図１に示すように延出部１６にはその表面から凹んだ凹溝１７が延出部１６の幅方向(左右方向)の片側に寄せて形成されている。凹溝１７の上端は底壁部１５で閉じられており、凹溝１７の下端は延出部１６の下端面に開放されている。
【００２７】
図２（Ａ）及び図３に示すようにカバー部材１２の上端部、詳しくは電線覆い部１４の上端部と、カバー部材１２の下端部、詳しくは延出部１６の下端部の夫々には、連結ねじ１８がカバー部材１２の表側から裏側(背面側)に向けて通されている。これらの連結ねじ１８は、カバー部材１２の背面部に配置された取付け枠２のナット４に螺合して締め付けられている。それにより、カバー部材１２と取付け枠２とが連結されている。
【００２８】
防水パッキン１３は、カバー部材１２と取付け枠２との間に挟着されているとともに、取付け枠２を囲んでカバー部材１２の背面側に設けられている。防水パッキン１３は、建物の外壁面に設けた電線挿通用の開口部を囲んで、この開口部の周囲外壁面に、連結ねじ１８の締付けに伴い密接されるようになっている。この防水パッキン１３は取付け枠２の通線窓３に対向する四角形状の通線窓１３ａを有して枠状をなしている。なお、図３中符号１２ａはカバー部材１２の背面に一体に突設されたリブを示している。このリブ１２ａは、防水パッキン１３が有した溝に挿入して、カバー部材１２に対して防水パッキン１３を位置決めしている。
【００２９】
ブッシング２１は、ゴムや軟質塩化ビニル等のように絶縁性及び弾性を有する材料からなり、底壁部１５の通線窓１５ａより大きく形成されていて、この通線窓１５ａを閉じるように底壁部１５の例えば下面に重ねられている。ブッシング２１の通線窓１５ａに対向した部分には、図１及び図２（Ｃ）に示すようにスリット２１ａが例えば放射状に切り込まれている。これらのスリット２１ａは、電線Ａがブッシング２１を容易に突き破ることができるように設けられている。
【００３０】
ブッシング押え部材３１は、合成樹脂、好ましくは弾性を有する合成樹脂例えばエンジニアリングプラスチックの一体成型品である。このブッシング押え部材３１は、押え部３２及び電線ホルダ部３３を備えている。
【００３１】
押え部３２は通線窓１５ａを囲む大きさで環状に形成されている。この押え部３２は、底壁部１５の下面に重ねられて、その裏面に設けた複数の係止爪３２ａ（図２（Ｂ）に一部の爪を示す）を底壁部１５に設けた図示しない爪受け孔に引っ掛け状態に係合させることによって、底壁部１５に取付けられている。この取付けによって、ブッシング２１の周部が通線窓１５ａの周部と押え部３２との間に挟まれて固定される。
【００３２】
図１及び図２（Ａ）等に示すように電線ホルダ部３３は押え部３２から下方に一体に突出されるとともに、延出部１６に対向して配置されていて、弾性変形が可能である。この電線ホルダ部３３は、例えば凹溝１７と同方向に延びる棒状部位３３ａと、この棒状部位３３ａの下端部（先端部）から両側に直角状に折れ曲がった第１先端部位３３ｂ及び第２先端部位３３ｃとからＴ字形状に形成されている。
【００３３】
棒状部位３３ａは凹溝１７の幅方向一側縁に寄せて下方に直線状に延びている。第１先端部位３３ｂは凹溝１７に対向している。この第１先端部位３３ｂの先端と凹溝１７の幅方向他側縁との間には図２（Ａ）に示すように隙間Ｇが形成されている。この隙間Ｇによって、信号線等の細い電線Ａを電線ホルダ部３３の裏側に導き易くしている。第２先端部位３３ｃは、図２（Ｃ）に示すように延出部１６の表面に接近して対向している。
【００３４】
前記構成の入線カバー１では、その電線ホルダ部３３が、ブッシング２１をカバー部材１２に固定するためのブッシング押え部材３１の押え部３２に一体に成形されている。このため、カバー部材に、これとは別体の電線ホルダ部をねじ及びナットを用いて取付けた従来のものに比較して、部品点数及び組立工数を削減することができ、それに伴い入線カバー１のコストダウンを図ることができる。
【００３５】
前記構成の入線カバー１は、建物の通線用の開口部を覆うように配置されて、この建物の外壁面に前記取付けねじ６により固定して使用されるので、その状態では、図３中二点鎖線で示すようにカバー体１１の背面開口からブッシング２１にわたる電線部分が電線覆い部１４で覆われ瑠。こうした使用状態では、ブッシング２１を下方に挿通して電線覆い部１４から突出された電線Ａは、カバー部材１２の延出部１６に対向して下方に引出される。
【００３６】
次に、この電線Ａを入線カバー１に保持する手順を説明する。
【００３７】
まず、電線Ａが信号線のように細い場合には、図４（Ａ）又は図４（Ｂ）に示した保持態様のいずれかを採用して電線Ａを保持する。
【００３８】
即ち、図４（Ａ）の場合には、ブッシング２１を通ってその下方に引出された細い電線Ａを、まず、隙間Ｇに通して電線ホルダ部３３の下側に導いた後に、第２先端部位３３ｃ側から棒状部位３３ａの上側に電線Ａを導き、更に、この電線Ａを再び隙間Ｇに通して第１先端部位３３ｂの下側に通すことにより、棒状部位３３ａに細い電線Ａを巻き付くようにして、電線Ａを電線ホルダ部３３に保持する。
【００３９】
図４（Ｂ）の場合には、ブッシング２１を通ってその下方に引出された細い電線Ａを、まず、第１先端部位３３ｂの上側から第２先端部位３３ｃの下側に導いた後、この電線Ａを棒状部位３３ａの上側に導き、更に、電線Ａを隙間Ｇに通して第１先端部位３３ｂの下側に配線することにより、電線ホルダ部３３の先端部位３３ｂ、３３ｃに細い電線Ａを絡み付くように巻き付けて、電線Ａを電線ホルダ部３３に保持する。
【００４０】
以上のような巻き付け状態や絡み付き状態に電線Ａが保持することで、電線ホルダ部３３に対する電線Ａの保持性能を向上できる。したがって、引出された電線Ａに外力が加わったときに、その力を電線ホルダ部３３の複数個所で支持して、電線Ａを介してブッシング２１又は入線カバー1内の電線に過負荷を与えることをより確実に抑制できる。
【００４１】
又、電線Ａが電力線のように太い場合には、図２（Ａ）に示すようにブッシング２１を通ってその下方に引出された電線Ａを、電線ホルダ部３３の上側に添わせて配線できる。この場合、電線ホルダ部３３が棒状部位３３ａから折れ曲がった先端部位３３ｂ、３３ｃを有しているので、この先端部位上に電線Ａを載せてこの電線Ａを棒状部位３３ａに容易に添わせることができる。次に、市販のインシュロック帯等の結束部品３５を用いて棒状部位３３ａごと結束する。このようにして太い電線Ａを電線ホルダ部３３に保持できるので、引出された電線Ａに外力が加わったときに、その力を電線ホルダ部３３で支持して、電線Ａを介してブッシング２１に過負荷を与えることを確実に抑制できる。
【００４２】
なお、このような結束部品３５を用いての電線ホルダ部３３に対する電線Ａの保持は、保持する対象の電線が細い場合にも、又は中程度の太さである場合にも適用できる。
【００４３】
更に、電線Ａが中程度の太さの場合には、この電線Ａを隙間Ｇに通してから、電線ホルダ部３３の第１先端部位３３ｂと凹溝１７の底面との間に押し込むことに伴い、棒状部位３３ａを上向きに弾性変形させて、中程度の太さの電線Ａを第１先端部位３３ｂと凹溝１７の底面との間に挟んで保持できる。こうした保持によって、引出された電線Ａに外力が加わったときに、この電線Ａを介してブッシング２１に過負荷を与えることを抑制できる。
【００４４】
以上のように前記構成の電線ホルダ部３３を備えたことにより、様々な径の電線を、それに適した態様で電線ホルダ部３３に保持できる。
【００４５】
又、前記構成の入線カバー１で、ブッシング２１を挿通した電線Ａに対して電線ホルダ部３３が邪魔になる場合には、この電線ホルダ部３３を除去して対応することが可能である。なぜなら、電線ホルダ部３３は合成樹脂製のブッシング押え部材３１の押え部３２から一体に突設された棒状部位３３ａを有して形成されているので、この棒状部位３３ａの突出基部をニッパ等で容易に切り離すことが可能である。
【００４６】
なお、前記一実施形態では、凹溝１７及びこれに対向する電線ホルダ部３３を、延出部１６の幅方向片側のみに設けたが幅方向両側に設けることができ、それにより、ブッシング２１に通されて下方に引出される複数の電線の夫々を保持することが可能となる。
【図面の簡単な説明】
【００４７】
【図１】本発明の一実施形態の入線カバーを示す斜視図。
【図２】(Ａ)は図１の入線カバーを示す平面図。（Ｂ）は図１の入線カバーを示す背面図。（Ｃ）は図１の入線カバーを示す下面図。
【図３】図１の入線カバーを示す断面図。
【図４】（Ａ）（Ｂ）は図１の入線カバーの電線ホルダに対する電線の夫々異なる保持形態を示す平面図。
【符号の説明】
【００４８】
１…入線カバー、２…取付け枠、Ａ…電線、１１…カバー体、１２…カバー部材、１４…電線覆い部、１４ａ…背面開口、１５…底壁部、１５ａ…通線窓、１６…延出部、１７…凹溝、１８…連結ねじ、２１…ブッシング、３１…ブッシング押え部材、３２…押え部、３３…電線ホルダ部、３３ａ…棒状部位、３３ｂ…第１先端部位、３３ｂ…第２先端部位
【図１】
2009017615.tif 000003
【図２】
2009017615.tif 000004
【図３】
2009017615.tif 000005
【図４】
2009017615.tif 000006